(57)【要約】    【課題】  質感や高級感、凹凸感を備えつつ、廉価に且つ容易に製作することができ、反りや歪みも生じにくい表紙の製作方法を提供することである。    【解決手段】  第１台紙（１２）上に薄いスポンジ片（１４）を配置する第１工程と、スポンジ片上に第２台紙（１８）を配置する第２工程と、レザー片（２０）上のほぼ中央に第１台紙、スポンジ片第２台紙を配置し、レザー片の周縁部を第１台紙、スポンジ片第２台紙を包み込むように折る第３工程とを含み、第１工程において、第１台紙又はスポンジ片のいずれかの面の一方の縁部に接着剤が塗布されており、第２工程において、第２台紙又はスポンジ片のいずれかの面の一方の縁部に接着剤が塗布されていることを特徴とする方法が提供される。【選択図】  図１
2009012236.tif 000002
【特許請求の範囲】
【請求項１】
表紙の製作方法であって、
第１台紙上に、第１台紙と実質的に同じ大きさの薄いスポンジ片を配置する第１工程と、
前記スポンジ片上に、前記第１台紙および前記スポンジ片と実質的に同じ大きさの第２台紙を配置する第２工程と、
前記第１台紙、前記スポンジ片、及び前記第２台紙よりも大きなレザー片上のほぼ中央に、前記第１台紙、前記スポンジ片、及び前記第２台紙を配置し、前記レザー片の周縁部を前記第１台紙、前記スポンジ片、及び前記第２台紙を包み込むように折る第３工程とを含み、
前記第１工程において、前記第１台紙又は前記スポンジ片のいずれかの面の一方の縁部に接着剤が塗布されており、前記第２工程において、前記第２台紙又は前記スポンジ片のいずれかの面の一方の縁部に接着剤が塗布されていることを特徴とする方法。
【請求項２】
前記第１台紙、前記スポンジ片、及び前記第２台紙が矩形であることを特徴とする請求項１に記載の方法。
【請求項３】
互いにずれないように一方の縁部に接着剤がそれぞれ塗布された実質的に同じ大きさの第１台紙、薄いスポンジ片、及び第２台紙を重ねて、レザー片で包み込み、前記レザー片の周縁部を折ることによって形成される表紙。
【請求項４】
前記第１台紙、前記スポンジ片、及び前記第２台紙が矩形であることを特徴とする請求項３に記載の表紙。
【発明の詳細な説明】
【技術分野】
【０００１】
本発明は、表紙および表紙の製作方法に関する。本発明における「表紙」には、アルバム等の表紙の他、写真台紙、メニュー表、ＤＶＤのような記録メディアの収納ケースの表紙なども含まれる。
【背景技術】
【０００２】
従来、アルバム等の表紙や、写真台紙などにおいて、質感や高級感、凹凸感を醸しだそうとする１つの手段として、表面に厚手のレザーが貼られていた。
【発明の開示】
【発明が解決しようとする課題】
【０００３】
しかしながら、厚手のレザーは高価であるため、厚手のレザーを貼ると、表紙の制作費用が高くなるという不都合がある。また、厚手のレザーは肉厚であるため、表紙（特に、角の部分）の製作作業が困難であるという不都合もある。さらに、従来の表紙は、温度や湿度の変化により、反りや歪みが生じ易いという不都合もある。本発明は、このような現状に鑑みて案出されたものであって、質感や高級感、凹凸感を備えつつ、廉価に且つ容易に製作することができ、反りや歪みも生じにくい新規な表紙の製作方法および表紙を提供することを目的とする。
【課題を解決するための手段】
【０００４】
本願請求項１に記載の表紙の製作方法は、第１台紙上に、第１台紙と実質的に同じ大きさの薄いスポンジ片を配置する第１工程と、前記スポンジ片上に、前記第１台紙および前記スポンジ片と実質的に同じ大きさの第２台紙を配置する第２工程と、前記第１台紙、前記スポンジ片、及び前記第２台紙よりも大きなレザー片上のほぼ中央に、前記第１台紙、前記スポンジ片、及び前記第２台紙を配置し、前記レザー片の周縁部を前記第１台紙、前記スポンジ片、及び前記第２台紙を包み込むように折る第３工程とを含み、前記第１工程において、前記第１台紙又は前記スポンジ片のいずれかの面の一方の縁部に接着剤が塗布されており、前記第２工程において、前記第２台紙又は前記スポンジ片のいずれかの面の一方の縁部に接着剤が塗布されていることを特徴とするものである。
【０００５】
本願請求項２に記載の表紙の製作方法は、前記請求項１の方法において、前記第１台紙、前記スポンジ片、及び前記第２台紙が矩形であることを特徴とするものである。
【０００６】
本願請求項３に記載の表紙は、互いにずれないように一方の縁部に接着剤がそれぞれ塗布された実質的に同じ大きさの第１台紙、薄いスポンジ片、及び第２台紙を重ねて、レザー片で包み込み、前記レザー片の周縁部を折ることによって形成されることを特徴とするものである。
【０００７】
本願請求項４に記載の表紙は、前記請求項３の表紙において、前記第１台紙、前記スポンジ片、及び前記第２台紙が矩形であることを特徴とするものである。
【発明の効果】
【０００８】
本発明によれば、比較的廉価な薄手のレザー片を使用しても、厚手のレザー片を使用した表紙に匹敵する質感や高級感を備えた表紙を提供することができる。また、本発明では、第１台紙、スポンジ片、及び第２台紙の一方の縁部に接着剤を塗布することにより、表紙にしわがよったり、ずれたりすることを回避することができる。本発明による表紙では、表紙を縫製することにより、質感を一層際立たせることができる。さらに、本発明による表紙は、温度や湿度が変化しても、反りや歪みが生じにくい。
【発明を実施するための最良の形態】
【０００９】
次に、図面を参照して、本発明の好ましい実施の形態に係る表紙の製作方法について詳細に説明する。図１は、本発明の表紙の製作方法の工程を示したフロー図、図２は、本発明の製作方法の一連の手順を模式的に示した図である。本発明の製作方法においては、まず、矩形の第１台紙１２を準備する（工程Ａ、図２（ａ）参照）。第１台紙１２は、例えばチップボール紙等の任意の所望の材料で形成されている。
【００１０】
次いで、第１台紙１２上に、第１台紙１２と実質的に同じ大きさの薄いスポンジ片１４を配置する（工程Ｂ、図２（ｂ）参照）。その際、スポンジ片１４がずれないように、第１台紙１２の一方の縁部１２ａに接着剤１６を塗布した後、スポンジ片１４を配置する（図３（ａ）参照）。或いは、一方の縁部に接着剤１６が塗布されたスポンジ片１４を第１台紙１２上に配置してもよい。
【００１１】
次いで、スポンジ片１４上に、第１台紙１２及びスポンジ片１４と実質的に同じ大きさの第２台紙１８を配置する（工程Ｃ、図２（ｃ）参照）。その際、第１台紙１２、スポンジ片１４、及び第２台紙１８が互いにずれないように、第２台紙１８の一方の縁部１８ａに接着剤１６を塗布した後、第２台紙１８を配置する（図３（ｂ）参照）。或いは、一方の縁部に接着剤１６が塗布されたスポンジ片１４上に、第２台紙１８を配置してもよい。
【００１２】
なお、第２台紙１８は、例えば白ボール紙等の任意の所望の材料で形成されている。また、接着剤１６は、普通のものを使用してよい。
【００１３】
次いで、第１台紙１２、スポンジ片、及び第２台紙１８よりも大きなレザー片２０を準備し、一面に接着剤が塗布されたレザー片２０上のほぼ中央に、第１台紙１２、スポンジ片、及び第２台紙１８を配置する（工程Ｄ、図２（ｄ）参照）。その際、通常は、レザー片２０の側に第２台紙１８が配向される。
【００１４】
最後に、第１台紙１２、スポンジ片、及び第２台紙１８を包み込むように、レザー片２０の四辺を折ることにより、表紙１０が完成する（工程Ｅ、図２（ｅ）参照）。
【００１５】
図４は、上述のような手順を経て完成した表紙に、十字の縫製線を入れた状態を示した斜視図である。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
たとえば、前記実施の形態においては、第１台紙１２などは矩形の形状を有するものとして説明されているが、第１台紙１２などを任意の所望の形状（多角形、楕円形など）にしてもよい。
【図面の簡単な説明】
【００１８】
【図１】本発明の好ましい実施の形態に係る表紙の製作方法の工程を示したフロー図である。
【図２】本発明の好ましい実施の形態に係る表紙の製作方法の一連の作業を模式的に示した図である。
【図３】本発明の製作方法の作業手順における接着剤の塗布の仕方を示した図である。
【図４】縫製線が入った表紙を示した斜視図である。
【符号の説明】
【００１９】
１０  表紙
１２  第１台紙
１４  スポンジ片
１６  接着剤
１８  第２台紙
２０  レザー片
【図１】
2009012236.tif 000003
【図２】
2009012236.tif 000004
【図３】
2009012236.tif 000005
【図４】
2009012236.tif 000006